(57)【要約】【課題】蚊を電撃で捕殺した時に独特の電子音を生じる電撃蚊取りラケットを提供する。【解決手段】  主にラケット柄（１１）、ラケットフレーム（１２）及び高電圧作業電気回路からなり、そのラケットフレーム上には高電圧ネット（１３）が設置され、当該高圧電ネットで蚊を電撃する。その特徴は、電撃蚊取りラケット（１０）上に1つの高圧電作業電気回路と接続する音声出力電気回路（２０）、電源スイッチ（Ｋ２）並びに音声触発スイッチ（ＲＷ）が増設されていることにある。【選択図】図２
0003129505.tif 000002
【実用新案登録請求の範囲】
【請求項１】
ラケット柄及びラケットフレームからなり、当該ラケット柄上には高圧電作業電気回路が設置され、
当該ラケットフレーム上には高圧電ネットが敷設設置されていて蚊を捕捉し、
その特徴は、当該電撃蚊取りラケット上に当該高圧作業電気回路に接続した少なくとも１つの音声出力電気回路及び少なくとも１つの触発制御電気回路が接続し、
当該音声出力電気回路には１つの電源スイッチ、１つの音声触発スイッチ、及び１つのスピーカーが含まれ、
当該音声出力電気回路の電源スイッチが閉じている場合に当該音声触発スイッチが導通し、蚊が当該高圧電ネットに触れて短路を形成した時に瞬間的に交流激変信号を発し、当該触発制御電気回路は当該激変信号によって当該音声出力電気回路を触発して、当該音声出力電気回路が当該スピーカーを駆動させて音声を出力する、電撃蚊取りラケット。
【請求項２】
当該音声出力電気回路及び当該触発制御電気回路の間に１つのロジックスイッチが設置され、当該触発制御電気回路の触発信号出力を調整する、請求項１に記載の電撃蚊取りラケット。
【請求項３】
当該触発制御電気回路は少なくとも１つの抵抗を通って当該高圧電作業電気回路に接続する、請求項１又は２に記載の電撃蚊取りラケット。
【請求項４】
当該音声出力電気回路には音声IC、チップ体拡大器が含まれる、請求項１に記載の電撃蚊取りラケット。
【請求項５】
当該音声ICの接続脚（7）、（8）は触発端子で、接続脚（2）は出力端子である、請求項１に記載の電撃蚊取りラケット。
【請求項６】
当該音声出力電気回路には音声IC、チップ体拡大器が含まれ、当該音声ICには２つの触発端子があり、そのうちの１つの触発端子は当該触発制御電気回路に接続し、もう１つの触発端子は当該音声触発スイッチに接続している、請求項1に記載の電撃蚊取りラケット。
【請求項７】
乾電池が含まれ、当該音声出力電気回路及び当該触発制御電気回路の当該電源スイッチ、音声触発スイッチＲＷの電気回路は、音声出力電気回路の電源スイッチＫ２を通じて電撃蚊取りラケット内に設置されている乾電池に接続している、請求項１に記載の電撃蚊取りラケット。
【考案の詳細な説明】
【技術分野】
【０００１】
本考案は一種の電撃蚊取りラケットで、特に蚊を電撃で捕殺した時に独特の電子音を生じる電撃蚊取りラケットに関する。
【背景技術】
【０００２】
第3図に示すように、慣用の電撃蚊取りラケット(30)は主に内部に高電圧の作業電気回路が設置されたラケット柄(31)と高電圧ネットが隙間なく配置されたラケットフレーム(32)で組成され、ラケット柄(31)上には高電圧ネット(33)の電源制御スイッチ(34)が設置されている。さらに慣用電撃蚊取りラケットの高圧電作業電気回路は一般に乾電池及び昇圧電気回路で組成され、電源制御スイッチ(34)の制御を通して、蚊を捕殺する時に電源制御スイッチ(34)を入れて、手で電撃蚊取りラケットを振り、蚊が高圧電ネット(33)に触れた時に高圧の電撃を受けて捕殺する。このとき高圧電ネット(33)は「パチッ」という音を発する。
【考案の開示】
【考案が解決しようとする課題】
【０００３】
しかし、この慣用の電撃蚊取りラケット(30)には以下のような欠点があった。
すなわち、電撃蚊取りラケットを振って蚊を捕殺した場合、「パチッ」という音が非常に単調でしかも耳障りであり、この耳障りな音声は容易に人々の心情に影響し、且つ周囲のその他に人々をも邪魔する。
【課題を解決するための手段】
【０００４】
本考案の主要目的は、一種の耳に優しい電子音声を生じる電撃蚊取りラケットを提供するため、その基本構造にはラケット柄及びラケットフレームを含み、ラケット柄内には高圧電作業電気回路を設置し、ラケットフレーム上には高圧電ネットを敷設設置して蚊を捕捉することである。
【０００５】
本考案の主な特徴は、電撃蚊取りラケット上に高圧電作業電気回路と接続した音声出力電気回路、電源スイッチ並びに音声触発スイッチを増設していることである。
【考案の効果】
【０００６】
本考案の電撃蚊取りラケット(10)は、慣用の電撃蚊取りラケットの電撃音と異なる独特な音声を提供して、使用者に本考案の電撃蚊取りラケット(10)使用の興味を増加させることである。
【考案を実施するための最良の形態】
【０００７】
図1、2に示すように、本創作の電撃蚊取りラケットの基本構造には、ラケット柄(11)及びラケットフレーム(12)が含まれ、そのラケット柄(11)内には高圧電作業電気回路が設置され、ラケットフレーム(12)上には高圧電ネット(13)が敷設設置され、ラケット柄(11)上には高圧電ネット(13)の電源制御スイッチ(14)が設置されている。上述構造は慣用の電撃蚊取りラケットと同じである。
本考案の主な特徴は、電撃蚊取りラケット(10)上に高電圧作業電気回路と連接した音声出力電気回路(20)、電源スイッチK2、触発制御電気回路(30)、及び音声触発スイッチRWが増設されていることである。
【０００８】
引き続き図2を参照すると、触発制御電気回路(1)は電気抵抗R2を通して620Vの高圧電作業電気回路に接続し、音声出力電気回路(2)には音声IC(21)、チップ体拡大器Q3並びにスピーカーSPが含まれ、音声IC(21)の接続脚7と8は触発端子で、接続脚2は出力端子である。
【０００９】
また、音声出力電気回路(20)の電源スイッチK2、蚊捕殺信号触発スイッチK1(ロジックスイッチ)、音声触発スイッチRWが含まれ、これらの電気回路は音声出力電気回路(20)の電源スイッチK2を通して電撃蚊取りラケット内に設置された乾電池に接続して、そこから作業電源を供給している。
音声出力電気回路(20)及び触発制御電気回路(30)の間に設置されたロジックスイッチK1は触発制御電気回路(30)の触発信号出力を調整する。
【００１０】
本考案の作業原理は、電撃蚊取りラケット(10)は乾電池を採用して電気を供給し、電圧は3Vの直流電気である。変圧器により昇圧を行い、高圧電を得て、電撃蚊取りラケット(10)の高圧電ネット(13)上で高圧電の正、負極に接し、高圧電ネット(13)が蚊を捕捉した時に、その蚊が導体となり、直接高圧の正、負極に短路を与え、瞬間的に「パチッ」という音声を発し、蚊は高圧電の電撃を受けて捕殺される。
【００１１】
さらに図2に示すように、VSS、620Vの両端は高圧電ネット(13)の正、負極上に接し、抵抗R2、コンデンサC1、コンデンサC2、抵抗R5を通じて三極管Q1(8550S)、三極管Q2(8550S)を停止状態に保持し、音声触発スイッチRWは手動プッシュキースイッチで、音声出力電気回路の電源スイッチK2が閉じた時に電源に接し、手で音声触発スイッチRWを押した場合に、音声触発IC(21)が一種の音声を発する。スイッチを押すたびに発する音声が異なる。
音声IC(21)は音声チップである。スピーカーSPは8オーム0.25Wで、チップ体Q3(8050S)は出力効率拡大の三極管で、+3V、GNDは電源の正、負極インターフェイスであり、ロジックスイッチK1は蚊捕捉触発信号スイッチで、音声出力電気回路電源スイッチK2が閉じている時に、蚊が高圧電ネット(13)上で短路を引き起こした場合、瞬間的な交流激変信号が生じ、チップ体Q1、チップ体Q2三極管が導通状態となり、制御信号を音声IC(21)に伝送して、第8接続脚の触発信号インターフェイス脚上で音声IC(21)が信号を受け、出力音声が効率拡大三極管Q3を通じて拡大され、スピーカーSPを促進して音声を発する。その音声IC(21)は多種の音声を保存でき、一回の触発で一種の音声を発し、その音声は循環して作用できる。
【図面の簡単な説明】
【００１２】
【図１】本考案に係る電撃蚊取りラケットの外観構造図である。
【図２】本考案に係る触発制御電気回路並びに音声出力電気回路を示す回路図である。
【図３】慣用電撃蚊取りラケットの外観構造図である。
【符号の説明】
【００１３】
10  電撃蚊取りラケット
11  ラケット柄
12  ラケットフレーム
13  高圧電ネット
14  電源制御スイッチ
20  音声出力電気回路
21  音声IC
30  触発制御電気回路
K2  電源スイッチ
Q1、Q2、Q3  チップ体拡大器
SP  スピーカー
RW  音声触発スイッチ
30  電撃蚊取りラケット
31  ラケット柄
32  ラケットフレーム
33  高圧電ネット
34  電源制御スイッチ
【図１】
0003129505.tif 000003
【図２】
0003129505.tif 000004
【図３】
0003129505.tif 000005